(57)【要約】  本発明は、角度調節型アプリケータに関し、化粧容器の本体に結合されるキャップとして使用可能な把持部と、上記把持部の操作によって直線運動するロッド部と、上記ロッド部の直線運動に連動して角度調節される塗布部と、を含むことができ、このような本発明は、消費者が直接、化粧液塗布部の角度を任意に調節できるようにすることで、自然な姿勢で楽に化粧ができ、消費者の習慣や性向に応じたカスタマイズされた化粧が可能であるという効果を有する。【選択図】図１
2015521943.tif 000002
【特許請求の範囲】
【請求項１】
化粧容器の本体に結合されるキャップとして使用可能な把持部（１１０）と、
前記把持部（１１０）の操作によって直線運動するロッド部（１３０）と、
前記ロッド部（１３０）の直線運動に連動して角度調節される塗布部（１４０）と、
を含む、角度調節型アプリケータ。
【請求項２】
前記把持部（１１０）は、中空状管体で製作され、化粧容器の本体と結合される方向に延長するロッド案内管（１１３）が形成され、その反対側には、空回しが可能な状態に結合され、ロッド部（１３０）の直線運動を操作する回転操作部（１２０）が形成されることを特徴とする、請求項１に記載の角度調節型アプリケータ。
【請求項３】
前記ロッド部（１３０）は、一端部が回転操作部（１２０）に螺旋結合されるスクリュー部（１３３）を形成し、前記スクリュー部（１３３）の上側には、把持部（１１０）の内径にスライド結合され、直線運動を案内する回転防止羽根（１３５）を形成し、前記塗布部（１４０）側の端部には、直線運動を回転運動に転換するラック駆動部（１３１）を形成することを特徴とする、請求項１に記載の角度調節型アプリケータ。
【請求項４】
前記回転防止羽根（１３５）のスライド運動を案内するスライド溝（１１１）が把持部（１１０）の内側のロッド案内管（１１３）に形成されることを特徴とする、請求項３に記載の角度調節型アプリケータ。
【請求項５】
前記塗布部（１４０）は、ブラシ棒（１４１）が設けられ、前記ブラシ棒（１４１）の一端にブラシを形成し、前記ブラシ棒の他端には、ロッド部（１３０）の直線運動を伝達されて回転軸（１４５）を中心として回転運動するピニオン駆動部（１４３）を形成することを特徴とする、請求項１に記載の角度調節型アプリケータ。
【請求項６】
前記塗布部（１４０）は、回転軸（１４５）を中心として一端がロッド部（１３０）側に支持され、他端が塗布部（１４０）側に支持される弾性部材（１４７）を設置し、塗布部（１４０）の復元を助けることを特徴とする、請求項５に記載の角度調節型アプリケータ。
【発明の詳細な説明】
【技術分野】
【０００１】
本発明は、化粧用アプリケータに関し、より詳細には、化粧液を塗布する塗布部の角度をユーザが任意に調節することができる角度調節が可能なアプリケータに関する。
【背景技術】
【０００２】
一般的に、マスカラは、まつげにマスカラ液を彩色してまつげをアップさせる、女性のまつげ化粧ツールであって、把持部と、マスカラ液がついたブラシ部とで構成される。
【０００３】
このようなマスカラは、マスカラ液が収容されたマスカラケースにブラシ部を入れてブラシ部にマスカラ液をつけた後、上記ブラシ部を上記まつげに当てて回転させながらまつげの下方部から上方部に上昇させてまつげにマスカラ液が濃く彩色されるようにして、まつげをカールアップさせる。
【０００４】
しかし、前述したような従来のマスカラは、把持部とブラシ部とが一直線状態に形成されることによって、使用に制約を受ける不便さがあった。
【０００５】
例えば、ユーザは、まつげとブラシ部とを平行にして化粧をするが、この際、ブラシ部をまつげと平行な状態にさせるためには、腕を肩の高さに持ち上げた状態で水平が維持されるようにしなければならない困難があり、ユーザは、不安定な姿勢で化粧をしなければならないため、化粧がよくできないという問題があった。
【発明の概要】
【発明が解決しようとする課題】
【０００６】
本発明の目的は、消費者が直接、化粧液塗布部の角度を消費者の習慣や性向に応じて任意に調節することができる角度調節が可能なアプリケータを提供することにある。
【課題を解決するための手段】
【０００７】
本発明の目的は、化粧容器の本体に結合されるキャップとして使用可能な把持部と、前記把持部の操作によって直線運動するロッド部と、前記ロッド部の直線運動に連動して角度調節される塗布部と、を含む角度調節型アプリケータにより達成され得る。
【０００８】
また、前記把持部は、中空状管体で製作され、化粧容器の本体と結合される方向に延長するロッド案内管が形成され、その反対側には、空回しが可能な状態に結合され、ロッド部の直線運動を操作する回転操作部が形成され得る。
【０００９】
また、前記ロッド部は、一端部が回転操作部に螺旋結合されるスクリュー部を形成し、前記スクリュー部の上側には、把持部の内径にスライド結合され、直線運動を案内する回転防止羽根を形成し、前記塗布部側の端部には、直線運動を回転運動に転換するラック駆動部を形成することができる。
【００１０】
この際、前記回転防止羽根のスライド運動を案内するスライド溝が把持部の内側のロッド案内管に形成され得る。
【００１１】
また、前記塗布部は、ブラシ棒が設けられ、前記ブラシ棒の一端にブラシを形成し、前記ブラシ棒の他端には、ロッド部の直線運動を伝達されて回転軸を中心として回転運動するピニオン駆動部を形成することができる。
【００１２】
この際、前記塗布部は、回転軸を中心として一端がロッド部側に支持され、他端が塗布部側に支持される弾性部材を設置し、塗布部の復元を助けることができる。
【発明の効果】
【００１３】
本発明は、消費者が直接、化粧液塗布部の角度を任意に調節できるようにして、自然な姿勢で楽に化粧ができるようにし、消費者の習慣や性向に応じたカスタマイズされた化粧が可能であるという効果を有する。
【図面の簡単な説明】
【００１４】
【図１】本発明による角度調節型アプリケータの作動前の断面図である。
【図２】本発明による角度調節型アプリケータの作動後の断面図である。
【図３】本発明による角度調節型アプリケータの回転操作部の拡大図である。
【図４】本発明による角度調節型アプリケータのラック駆動部及びピニオン駆動部の拡大図である。
【発明を実施するための形態】
【００１５】
以下、本発明の好ましい実施例について添付の図面を参照して詳しく説明すると、次の通りである。
【００１６】
図１は、本発明による角度調節型アプリケータの作動前の断面図であり、図２は、本発明による角度調節型アプリケータの作動後の断面図である。
【００１７】
図１及び図２を参照すると、本発明による角度調節型アプリケータは、大きく、把持部１１０、ロッド部１３０及び塗布部１４０を含む構成よりなる。
【００１８】
まず、上記把持部１１０について説明する。上記把持部１１０は、化粧容器の本体（図示せず）に脱着可能な構造であって、キャップ形態で製作され得る。
【００１９】
一例として、化粧容器の本体の入口側に雄ねじ部を形成し、上記把持部１１０の内径に雌ねじ部を形成し、互いに螺旋結合によって脱着させることができる。
【００２０】
この際、上記把持部１１０は、中空管の形態で製作されてもよく、化粧容器の本体と結合される方向に延長するロッド案内管１１３が形成され得る。上記ロッド案内管１１３は、把持部１１０と容器本体との結合時に容器本体の内部に収容される部位であって、把持部１１０に一体形に形成されてもよく、上記ロッド案内管１１３には、ロッド部１３０が軸結合され、直線運動が案内される。
【００２１】
そして、上記把持部１１０の反対側には、空回しが可能な状態で回転操作部１２０が結合される。
【００２２】
この際、上記回転操作部１２０は、回転方向によってロッド部１３０を直線方向に前進又は後進させるようにするが、回転操作部１２０とロッド部１３０との間は、スクリュー結合させることができる。
【００２３】
図３は、本発明による角度調節型アプリケータの回転操作部の拡大図である。
【００２４】
上記ロッド部１３０は、上記把持部１１０の操作によって直線運動する柱形状の構造物であって、一端部が回転操作部１２０に螺旋結合されるスクリュー部１３３を形成することができる。この際、回転操作部１２０側には、スクリュー案内部が形成され得る。
【００２５】
また、上記スクリュー部１３３の上側には、把持部１１０の内径にスライド結合され、直線運動を案内する回転防止羽根１３５が形成される。上記回転防止羽根１３５は、回転操作部１２０の回転力によってロッド部１３０が一緒に回転することを防止するためのものであって、柱の外面に突出する突起構造を提供することができる。上記突起構造の形状は、円形状突起及び板状突起構造等を用いることができる。
【００２６】
この際、上記回転防止羽根１３５のスライド運動を案内するスライド溝１１１が把持部１１０内側のロッド案内管１１３に形成され得る。
【００２７】
上記スライド溝１１１は、結合された回転防止羽根１３５の左右移動を制限する一方で、長さ方向に移動することができるように移動軌跡を提供する。
【００２８】
そして、上記ロッド部１３０は、塗布部１４０側の端部に直線運動を回転運動に転換するラック駆動部１３１を形成する。
【００２９】
上記ラック駆動部１３１は、ロッド部１３０に延長する直線形状の棒の一面に螺旋山が形成される構造でもよく、円形状の歯車構造を有するピニオン駆動部１４３と係合し、直線運動を回転運動に変える役目をする。
【００３０】
この際、上記ラック駆動部１３１とピニオン駆動部１４３とは、歯車結合構造ではなく、摩擦力による動力伝達方式が可能である。例えば、ラック駆動部１３１の表面を摩擦係数が高いゴム等の材質で形成し、これに対応するピニオン駆動部１４３も、摩擦係数が高いゴム等の材質で形成することが可能である。
【００３１】
次に、塗布部１４０について説明する。上記塗布部１４０は、上記ロッド部１３０の直線運動に連動して角度調節される部位であって、上記塗布部１４０は、ブラシ棒１４１が設けられ、上記ブラシ棒１４１の一端に化粧液を塗ることができるブラシを形成する。
【００３２】
この際、上記ブラシには、毛タイプはもちろん、スポンジタイプ等を用いることができる。
【００３３】
そして、上記ブラシ棒１４１の他端には、ロッド部１３０の直線運動を伝達されて回転軸１４５を中心として回転運動するピニオン駆動部１４３を形成することができる。前述したようなピニオン駆動部１４３には、歯車形態及びゴムローラー形態をすべて用いることができる。
【００３４】
この際、上記塗布部１４０は、ロッド案内管１１３の先端に回転軸１４５を利用して軸結合されることによって、回転軸１４５を中心として一定角度（０度〜９０度）回動することができる。
【００３５】
また、上記回転軸１４５を中心として一端がロッド部１３０側に支持され、他端が塗布部１４０側に支持される弾性部材１４７を設置することができる。
【００３６】
図４は、本発明による角度調節型アプリケータのラック駆動部及びピニオン駆動部の拡大図である。
【００３７】
図４に示されたような弾性部材１４７は、塗布部１４０の復元を助ける弾性復元力を提供するためのものであって、化粧後に、別途の操作なしに塗布部１４０が図１のように復帰されるためのものである。
【００３８】
前述したような構成を有する本発明の作用について説明すると、次の通りである。
【００３９】
まず、ユーザは、把持部１１０を化粧容器の本体から分離する。その後、把持部１１０に形成された回転操作部１２０を回転させれば、把持部１１０のロッド案内管１１３に挿入されたロッド部１３０が直線運動しつつ、ラック駆動部１３１の直線運動がピニオン駆動部１４３の回転運動に変わる。
【００４０】
この際、ピニオン駆動部１４３が形成された塗布部１４０が一緒に回転することによって、消費者が直接化粧液塗布部の角度を任意に調節することができる。このような本発明は、自然な姿勢で楽に化粧ができることはもちろん、消費者の習慣や性向に応じたカスタマイズされた化粧が可能であるという利点を有する。
【００４１】
その後、化粧が終われば、ユーザは、回転操作部１２０を反対に回転させて塗布部１４０をロッド部１３０と一直線になるようにした後、塗布部１４０を化粧容器の本体に収納させることができる。
【００４２】
以上、添付の図面を参照して本発明の実施例を説明したが、本発明の属する技術分野における通常の知識を有する者は、本発明がその技術的思想や必須な特徴を変更することなく、他の具体的な形態で実施できることを理解することができる。例えば、当業者は、各構成要素の材質、サイズ等を適用分野によって変更するか、又は実施形態を組み合わせるか若しくは置換して本発明の実施例に明確に開示されない形態で実施することができるが、これも本発明の範囲を逸脱しないものである。したがって、以上で記述した実施例は、すべての面で例示的なものであって、限定的なものと理解してはならず、このような変形された実施例は、本発明の特許請求の範囲に記載された技術思想に含まれるのは言うまでもない。
【符号の説明】
【００４３】
１１０  把持部
１１１  スライド溝
１１３  ロッド案内管
１２０  回転操作部
１２１  スクリュー案内部
１３０  ロッド部
１３１  ラック駆動部
１３３  スクリュー部
１３５  回転防止羽根
１４０  塗布部
１４１  ブラシ棒
１４３  ピニオン駆動部
１４５  回転軸
１４７  弾性部材
【図１】
2015521943.tif 000003
【図２】
2015521943.tif 000004
【図３】
2015521943.tif 000005
【図４】
2015521943.tif 000006
【手続補正書】
【提出日】平成25年6月5日(2013.6.5)
【手続補正１】
【補正対象書類名】特許請求の範囲
【補正対象項目名】全文
【補正方法】変更
【補正の内容】
【特許請求の範囲】
【請求項１】
化粧容器の本体に結合されるキャップとして使用可能な把持部（１１０）と、
前記把持部（１１０）の操作によって直線運動するロッド部（１３０）と、
前記ロッド部（１３０）に連動して角度調節される塗布部（１４０）と、
を含む、角度調節型アプリケータ。
【請求項２】
前記把持部（１１０）は、中空状管体で製作され、化粧容器の本体と結合される方向に延長するロッド案内管（１１３）が形成され、その反対側には、空回しが可能な状態に結合され、ロッド部（１３０）の直線運動を操作する回転操作部（１２０）が形成されることを特徴とする、請求項１に記載の角度調節型アプリケータ。
【請求項３】
前記ロッド部（１３０）は、一端部が回転操作部（１２０）に螺旋結合されるスクリュー部（１３３）を形成し、前記スクリュー部（１３３）の上側には、把持部（１１０）の内径にスライド結合され、直線運動を案内する回転防止羽根（１３５）を形成し、前記塗布部（１４０）側の端部には、直線運動を回転運動に転換するラック駆動部（１３１）を形成することを特徴とする、請求項１に記載の角度調節型アプリケータ。
【請求項４】
前記回転防止羽根（１３５）のスライド運動を案内するスライド溝（１１１）が把持部（１１０）の内側のロッド案内管（１１３）に形成されることを特徴とする、請求項３に記載の角度調節型アプリケータ。
【請求項５】
前記塗布部（１４０）は、ブラシ棒（１４１）が設けられ、前記ブラシ棒（１４１）の一端にブラシを形成し、前記ブラシ棒の他端には、ロッド部（１３０）の直線運動を伝達されて回転軸（１４５）を中心として回転運動するピニオン駆動部（１４３）を形成することを特徴とする、請求項１に記載の角度調節型アプリケータ。
【請求項６】
前記塗布部（１４０）は、回転軸（１４５）を中心として一端がロッド部（１３０）側に支持され、他端が塗布部（１４０）側に支持される弾性部材（１４７）を設置し、塗布部（１４０）の復元を助けることを特徴とする、請求項５に記載の角度調節型アプリケータ。
【国際調査報告】
2015521943.tif 000007
2015521943.tif 000008
2015521943.tif 000009
2015521943.tif 000010